(57)【要約】      （修正有）【課題】ビニールハウスに張られたシートを開閉するシート開閉装置から延びる繋ぎ棹を不動部に連結するのに最適なジョイントを提供する。【解決手段】固定側ブラケット１と、固定側ブラケット１に枢着される可動側ブラケット２と、可動側ブラケット２に枢支させたソケット３とで形成される。固定側ブラケット１が不動部に定着される基部１１と、基部１１から延びる立ち上り部１２と、立ち上り部１２から基部１１にまたは基部１１の延長面に並行して延びて可動側ブラケット２を枢着させる受部１３とで形成され、固定側ブラケット１と可動側ブラケット２およびソケット３が自在継手構造に形成され、ソケット３が外からの棹部材Ｒを着脱自在に連結させる。【選択図】図２
0003177539.tif 000002
【実用新案登録請求の範囲】
【請求項１】
固定側ブラケットと、この固定側ブラケットに枢着される可動側ブラケットと、この可動側ブラケットに枢支させたソケットとで形成されるジョイントにおいて、
上記固定側ブラケットが不動部に定着される基部と、この基部から延びる立ち上り部と、この立ち上り部から上記基部にまたは上記基部の延長面に並行して延びて上記可動側ブラケットを枢着させる受部とで形成され、
上記固定側ブラケットと上記可動側ブラケットおよび上記ソケットが自在継手構造に形成され、
上記ソケットが外からの棹部材を着脱自在に連結させることを特徴とするジョイント。
【請求項２】
上記基部が平板状に形成される請求項１に記載のジョイント。
【請求項３】
上記基部が軸線方向の両端部に肉厚を貫通する小孔を有する請求項１または請求項２に記載のジョイント。
【請求項４】
上記基部が蟻溝フレームにおける内底への着座を可能にする幅寸法を有し、この幅寸法が上記蟻溝フレームにおける開口の幅寸法より大きく設定される請求項１から請求項３のいずれかに記載のジョイント。
【請求項５】
上記立ち上り部が上記基部の軸線方向に沿う側端部から上方に折り曲げ形成される請求項１から請求項４のいずれかに記載のジョイント。
【請求項６】
上記立ち上り部が上記基部の軸線方向に沿う幅寸法を上記基部の軸線方向に沿う側端部から上方に向けて徐々に狭くする請求項１から請求項５のいずれかに記載のジョイント。
【請求項７】
上記受部が上記立ち上り部の上端部から横方向に折り曲げ形成される請求項１から請求項６のいずれかに記載のジョイント。
【請求項８】
上記可動側ブラケットが上記受部に着座してこの受部に回転自在に枢着するベース部と、このベース部の径方向の両端部から立ち上ってこのベース部を挟んで対峙する一対の支持部とを有し、この一対の支持部を貫通する横軸が上記ソケットを枢支する請求項１から７のいずれかに記載のジョイント。
【請求項９】
上記ソケットが上記棹部材を分離可能に差し込ませる差し込み部を有する請求項１から請求項８のいずれかに記載のジョイント。
【請求項１０】
上記ソケットが上記棹部材を分離可能に差し込ませる差し込み部と、この差し込み部に分離可能に保持されて径の異なる棹部材を差し込ませるアダプタとを有する請求項１から請求項８のいずれかに記載のジョイント。
【請求項１１】
不動部に着脱自在に定着される固定側ブラケットと、この固定側ブラケットに枢着される可動側ブラケットと、この可動側ブラケットに枢支させたソケットとで形成され、このソケットにビニールハウスにおけるシート開閉装置から延びる棹部材を着脱自在に連結させるジョイントにおいて、
上記固定側ブラケットをシート定着用の蟻溝フレーム内に嵌合させる板状の基部と、この基部から上方に起立する立ち上り部と、この立ち上り部から水平に延びて上記可動側ブラケットを枢着させる受部とで構成させ、
上記ソケットに連結させた上記棹部材の水平方向または上下方向の回転を許容する請求項１から請求項１０のいずれかに記載のジョイント。
【考案の詳細な説明】
【技術分野】
【０００１】
この考案は、ジョイントに関し、特に、ビニールハウスに開閉自在に張られたシートを開閉するシート開閉装置から延びる繋ぎ棹を不動部に連結するジョイントの改良に関する。
【背景技術】
【０００２】
植物育成用のビニールハウスにあっては、多くの場合に、ビニールハウス内の環境を植物の育成に最適なように調整するために、ビニールハウスに張られる、たとえば、採光用のシートをビニールハウスの開口部分で開閉自在にする。
【０００３】
このシートの開閉について、近年では、シート開閉装置が利用されるが、このシート開閉装置としては、種々の提案があり、多くのシート開閉装置にあって、ビニールハウスの長手方向に沿う側面に同じく長手方向に設けられるパイプを有し、このパイプにビニールハウスの側面に形成の開口を開閉するシートの、たとえば、端部を連結し、パイプの回転でシートの巻取りおよび巻戻し、つまり、シートの開閉を可能にする。
【０００４】
そして、特許文献１に開示のシート開閉装置では、ビニールハウスに沿って移動する駆動機構がパイプを正逆に回転させるが、駆動機構の自転を防止するガイド機構がシート開閉装置に設けられ、このガイド機構は、紐状部材で構成されている。
【先行技術文献】
【特許文献】
【０００５】
【特許文献１】特開平２０００−８８０７５号公報
【考案の概要】
【考案が解決しようとする課題】
【０００６】
上記の特許文献１に開示のシート開閉装置にあっては、自転しない駆動機構でパイプを回転させてシートを開閉し得る点で、基本的には、問題がある訳ではないが、利用の実際にあって、些かの不具合があると指摘される可能性がある。
【０００７】
すなわち、上記の提案では、不動部たるビニールハウスの妻面に先端部が連結されるガイド機構が、紐状部材で構成されるから、この紐状部材が長期に亙る利用で劣化することが危惧される。
【０００８】
そこで、紐状部材を金属製の繋ぎ棹に置き換えることを提案し得ると共に、この繋ぎ棹の先端部を、たとえば、不動部たるビニールハウスの妻面に設けられるジョイントに連結する提案をなし得るが、この提案に応えられるジョイントとして、好ましいものがこれまでに提供されていないのが現状である。
【０００９】
この考案は、この現状を鑑みて創案されたもので、ビニールハウスに張られたシートを開閉するシート開閉装置から延びる繋ぎ棹を不動部に連結するのに最適となるジョイントを提供することを目的とする。
【課題を解決するための手段】
【００１０】
上記した目的を達成するために、この考案によるジョイントの構成を、固定側ブラケットと、この固定側ブラケットに枢着される可動側ブラケットと、この可動側ブラケットに枢支させたソケットとで形成されるジョイントにおいて、上記固定側ブラケットが不動部に定着される基部と、この基部から延びる立ち上り部と、この立ち上り部から上記基部にまたは上記基部の延長面に並行して延びて上記可動側ブラケットを枢着させる受部とで形成され、上記固定側ブラケットと上記可動側ブラケットおよび上記ソケットが自在継手構造に形成され、上記ソケットが外からの棹部材を着脱自在に連結させるとする。
【考案の効果】
【００１１】
固定側ブラケットにおいて、基部が不動部に定着されるから、不動部がある限り、ジョイントの配設を可能にする。
【００１２】
特に、ビニールハウスが蟻溝フレームを利用して形成される場合には、この蟻溝フレームを不動部に設定できるから、ジョイントを設ける場所の選択を容易にし、さらに、基部の蟻溝フレームにおける蟻溝の内底への定着が可能とされるから、ジョイントの安定した連結状態を具現化でき、また、ジョイントの不動部に対する着脱を可能にする。
【００１３】
そして、固定側ブラケットにおいて、立ち上り部が基部から延びるから、この立ち上り部をいわゆる掴み部にすることで、基部を不動部に定着させる際の操作性を良くすることが可能になる。
【００１４】
特に、不動部が蟻溝フレームからなるとき、立ち上り部における立ち上り高さを選択することで、基部を蟻溝フレームにおける溝部の内底に定着させる際に、受部が蟻溝フレームにおける開口に干渉することを回避し得ることになる。
【００１５】
また、立ち上り部における立ち上り高さを選択することで、受部を蟻溝フレームにおける開口の上方に位置決めることが可能になるから、基部を蟻溝フレームにおける蟻溝の内底に固定的に着座させる係止線状の取り扱い操作を阻害しない。
【００１６】
そしてまた、固定側ブラケットにおいて、受部が基部の延長面に並行するように折れ曲る場合には、受部が不動部の上方からいわゆる脇に外れた位置に位置決めされて、受部が蟻溝フレームにおける開口を上方から覆うようになることを回避できるから、不動部が蟻溝フレームからなるときに、蟻溝フレームにおける蟻溝の内底に着座する基部を係止線状で定着させる際の係止線状の取り扱い操作を一層容易にする。
【００１７】
一方、ジョイントにおいて、受部、つまり、固定側ブラケットと可動側ブラケットおよびソケットが自在継手構造に連結されるから、ソケットに外から連結される棹部材の軸線方向が区々とされる場合に対応でき、ジョイントを利用する利便性が低下されない。
【図面の簡単な説明】
【００１８】
【図１】この考案によるジョイントを利用するシート開閉装置を装備するビニールハウスの斜視図である。
【図２】この考案によるジョイントが蟻溝フレームに取り付けられた状態を示す斜視図である。
【図３】この考案によるジョイントを分解して示す斜視図である。
【図４】ソケットをアダプタと共に示す縦断面図である。
【図５】他の実施形態のソケットを示す縦断面図である。
【考案を実施するための形態】
【００１９】
以下に、図示した実施形態に基づいて、この考案を説明するが、図１に示すように、この考案によるジョイントＪは、蟻溝フレームＦ（図２参照）を利用して形成されるビニールハウスＨに装備されたシート開閉装置Ｍから延びる棹部材たる繋ぎ棹Ｒを着脱自在に連結させるもので、図示するところでは、ビニールハウスＨにおける長手方向の前面および後面となる妻面Ｈ１に設けられるとしている。
【００２０】
ビニールハウスＨは、図示するところでは、蟻溝フレームＦ、つまり、構造部材とされるアーチ状フレームＦ１，梁フレームＦ２および柱フレームＦ３を組んで形成された骨組に、この骨組を外側から覆うようにシートたるビニールシートＳを張って、つまり、連結して形成され、ビニールハウスＨの長手方向に沿ういわゆる左右の側面Ｈ２と屋根面Ｈ３と、上記の妻面Ｈ１とを設ける。
【００２１】
ビニールシートＳは、基本的には、採光用のシートとされ、一般的には、無色透明な合成樹脂材で形成され、骨組に連結したり骨組から離したりする際に簡単に破断などしない強度を有するのはもちろんのこと、骨組に連結した後に比較的長期に亙る耐候性を備え、また、骨組に連結した後の繰り返しの巻いたり解きほぐしたりする操作で簡単に破断などしない耐久性を備え、さらには、ガラスに比較して重量も小さく、安価にして入手し易い利点がある。
【００２２】
そして、この種のビニールハウスＨの多くがそうであるように、側面Ｈ２にはビニールシートＳを張らずに積極的に空気の通過を許容する開口たる窓Ｈ４を形成し、この窓Ｈ４を別のシートたるビニールシートＳ１で開閉自在に覆うようにする。
【００２３】
ビニールシートＳ１は、シート開閉装置Ｍで開閉されるが、このシート開閉装置Ｍとしては、従来から種々の提案があり、たとえば、この考案におけるシート開閉装置Ｍのように、パイプたる巻上げパイプＰでビニールシートＳ１を巻上げたり巻下したりする他、図示しないが、パイプの移動でビニールシートＳ１を折り畳むようにして引き上げたり、引き下ろしたりする形式のものがある。
【００２４】
ちなみに、ビニールシートＳ１は、基本的には、前記したビニールシートＳと同様の構成とされるが、これに代えて、図示しないが、たとえば、防虫用のネットとされても良い。
【００２５】
また、巻上げパイプＰは、図１中に二点鎖線図で示すように、ビニールシートＳ１の下端部に連結され、それゆえ、ビニールシートＳ１は、巻上げパイプＰの回転で下端部から巻上げパイプＰに巻上げられ、巻上げパイプＰがビニールシートＳ１を巻下す場合には、ビニールシートＳ１が巻上げパイプＰからいわゆる解かれて、ビニールシートＳ１の下端部が垂れ下がる状態におかれて、ビニールハウスＨの側面Ｈ２の窓Ｈ４を覆う。
【００２６】
戻って、図示するシート開閉装置Ｍは、符示などしないが、駆動源としての電動モータおよび減速器を備える駆動機構を有し、この駆動機構に巻上げパイプＰが連結されると共に、この駆動機構が走行構造を介して妻面Ｈ１を形成するアーチ状フレームＦ１に保持されるとしている。
【００２７】
それゆえ、このシート開閉装置Ｍにあっては、電動モータへの通電で駆動機構が巻上げパイプＰを回転させて、巻上げパイプＰの回転しながらの移動に同期して、図１中に矢印ａあるいはｂで示すように、アーチ状フレームＦ１に沿って移動し、ビニールシートＳ１の巻上げおよび巻下しを可能にする。
【００２８】
なお、図示するところでは、シート開閉装置Ｍが移動するアーチ状フレームＦ１は、補強用のアーチ状フレームＦ１が並列配置されるいわゆるダブル仕様とされて、シート開閉装置Ｍの装備で妻面Ｈ１を形成するアーチ状フレームＦ１に曲がりなどの不具合が招来されることを回避すると共に、シート開閉装置Ｍの保持および移動を保障している。
【００２９】
シート開閉装置Ｍは、図示するところでは、ビニールハウスＨに沿って、すなわち、ビニールハウスＨの側面Ｈ２および側面Ｈ２に連続する屋根面Ｈ３に沿って移動自在とされるが、これに代えて、図示しないが、ビニールハウスＨに接近するように別に設けられるガイドに沿って移動自在とされても良く、要は、ビニールシートＳ１のいわゆる開閉動作をなすものであれば、任意に構成されて良い。
【００３０】
そして、同じく図示しないが、シート開閉装置ＭがビニールハウスＨに接近するように別に設けられるガイドに沿って移動自在とされる場合に、この考案のジョイントＪについては、これがビニールハウスＨの妻面Ｈ１に設けられるとしても良いことはもちろんである。
【００３１】
ところで、シート開閉装置Ｍは、アーチ状フレームＦ１に沿って移動するとき、その移動がいわゆる安定するように、つまり、巻上げパイプＰを回転させる力で自らが回転することを抑えるために、繋ぎ棹Ｒで不動部に連結される。
【００３２】
繋ぎ棹Ｒは、詳しくは図示しないが、好ましくは金属製の外パイプと、この外パイプ内に出没自在に挿通される金属製の内パイプとで伸縮自在に形成され、シート開閉装置Ｍがアーチ状フレームＦ１に沿って移動することでジョイントＪを設ける不動部との離間距離が長尺変更される場合に対応できるとしている。
【００３３】
そして、この繋ぎ棹Ｒの基端部（符示せず）がシート開閉装置Ｍに連結され、繋ぎ棹Ｒの先端部（符示せず）が不動部に設けられるジョイントＪに着脱自在に連結されるとしている。
【００３４】
ちなみに、不動部は、図示するところでは、ビニールハウスＨにおける妻面Ｈ１に設定されているが、この考案の意図するところからすると、図示しないが、たとえば、妻面Ｈ１に近隣するように別に設けられるラーメン構造物における柱や梁からなる言わば専用の不動部とされても良い。
【００３５】
また、ジョイントＪについては、この考案では、金属製とされていわゆる金具とされているが、要は、繋ぎ棹Ｒにおける先端部の不動部へのいわゆる安定した連結を実現することであり、この観点からすれば、このジョイントＪが、必要な機械的強度を備える限りには、たとえば、硬質の合成樹脂材で形成されても良い。
【００３６】
以上の前提に下に、ジョイントＪは、図２および図３に示すように、不動部に固定状態にあるいは分離可能な状態に定着される、つまり、不動部への定着が可能とされる固定側ブラケット１と、この固定側ブラケット１に枢着される可動側ブラケット２と、この可動側ブラケット２に枢支されるソケット３とで形成され、固定側ブラケット１と可動側ブラケット２およびソケット３が自在継手構造に形成され、ソケット３が外からの繋ぎ棹Ｒを着脱自在に連結させる。
【００３７】
ジョイントＪにあって、固定側ブラケット１と可動側ブラケット２およびソケット３が自在継手構造に形成されることで、ソケット３に外から連結される繋ぎ棹Ｒの軸線方向が区々とされる場合に対応でき、ジョイントＪを利用する利便性を低下させないことが可能になる。
【００３８】
そして、このジョイントＪにあって、固定側ブラケット１は、不動部に定着される基部１１と、この基部１１から延びる立ち上り部１２と、この立ち上り部１２から上記の基部１１にまたは上記の基部１１の延長面に並行して延びて可動側ブラケット２を枢着させる受部１３とで形成されている。
【００３９】
なお、固定側ブラケット１は、図示するところでは、型抜きされた適宜肉厚の一枚の鋼板材を折り曲げ成形することで形成されるが、この固定側ブラケット１が機能するところからすれば、各部１１，１２，１３を有する限りには、他の任意の方策で形成されても良いことはもちろんである。
【００４０】
詳しく説明すると、基部１１は、このジョイントＪを設ける不動部の形状に対応できるように、すなわち、一般的に言って、ジョイントＪを設けることを許容する不動部は、多かれ少なかれ平坦部を有するのが常態であろうから、この平坦部を有する不動部への定着を可能にするように平板状に形成される。
【００４１】
基部１１が平板状に形成されることで、この基部１１を任意の不動部の平坦部に定着することが可能になり、ジョイントＪを任意の不動部に設けることを可能にする。
【００４２】
なお、基部１１が不動部たる平坦部に定着される観点からすれば、基部１１が平板状に形成されるのに代えて、図示しないが、基部１１が不動部の平坦部に対応する平坦部を有するように形成されるとしても良いことはもちろんである。
【００４３】
その一方で、図示するところでは、不動部がビニールハウスＨにおける妻面Ｈ１にある蟻溝フレームＦ、つまり、梁フレームＦ２（図１参照）あるいは柱フレームＦ３（図１参照）とされるから、基部１１は、この梁フレームＦ２あるいは柱フレームＦ３への着脱自在な定着を実現できるように形成される。
【００４４】
なお、この考案のジョイントＪにあっては、詳しくは、蟻溝フレームＦ以外の支柱や横桟に設けられても良く、また、これら支柱や横桟に固定状態にあるいは分離可能な状態に設けられても良い。
【００４５】
そして、このジョイントＪを設けるためだけの蟻溝フレームＦやこの蟻溝フレームＦにおける蟻溝（符示せず）に類似する溝を有してジョイントＪの連結を可能にする他のフレーム部材や他の支柱あるいは横桟をビニールハウスＨにおける妻面Ｈ１に設けるとしても良い。
【００４６】
要は、ビニールハウスＨにおける妻面Ｈ１などを不動部にして設けられたジョイントＪが、たとえば、風雪の力で簡単に位置ズレしたり、シート開閉装置Ｍにおける駆動機構が作動する際の繋ぎ棹Ｒを介しての外力作用で簡単に位置ズレしたりしないように設けられるのであれば良い。
【００４７】
戻って、以上からして、基部１１は、図３に示すように、たとえば、平面視で矩形の形状を呈し、しかも、長さは任意に形成されるとして、蟻溝フレームＦ（図２参照）における蟻溝（符示せず）の開口Ｆａ（図２参照）の幅より大きく、内底Ｆｂ（図２参照）の幅より小さくなる幅を有するように形成される。
【００４８】
これによって、基部１１は、いわゆる水平状態のまま、蟻溝フレームＦにおける蟻溝には進入されないが、いわゆる斜めにして嵌め込むようにすることで、蟻溝フレームＦにおける蟻溝に進入できることになる。
【００４９】
そして、一旦蟻溝フレームＦにおける蟻溝に進入された基部１１は、水平状態のままでは蟻溝フレームＦにおける蟻溝から脱出できない、つまり、蟻溝フレームＦから分離されないことになる。
【００５０】
上記のように形成される基部１１は、実際問題として、蟻溝フレームＦにおける蟻溝に進入されて蟻溝の内底Ｆｂに着座しただけでは、その体勢を恒久的に維持できないので、この考案にあっては、図２に示すように、係止線状Ｂを利用して、基部１１の蟻溝での固定的な定着状態を実現するとしている。
【００５１】
係止線状Ｂを利用して基部１１を蟻溝で定着させる場合には、係止線状Ｂが蟻溝フレームＦにおける蟻溝で幅方向にバネ力を発揮するので、この係止線状Ｂは、バネ力でいわゆる広がるようになって蟻溝の内壁に沿って蟻溝の内底Ｆｂに向けて下降する傾向になり、その際の力で基部１１が蟻溝の内底Ｆｂに押し付けられるようになり、基部１１が内底Ｆｂに固定的に定着する状態になる。
【００５２】
なお、基部１１を蟻溝の内底Ｆｂに定着させるのに、図示するところでは、係止線状Ｂを利用するが、要は、基部１１が蟻溝の内底Ｆｂに定着されれば良く、あるいは、基部１１が蟻溝の内底Ｆｂに定着されなくても、蟻溝フレームＦから分離されなければ良く、その限りには、係止線状Ｂと共に、あるいは、係止線状Ｂを利用するのに代えて、図示しないが、たとえば、万力構造に形成されたストッパ部材などが利用されて、基部１１と蟻溝フレームＦとの一体的な連結が実現されるとしても良い。
【００５３】
また、基部１１は、これが蟻溝フレームＦ以外の不動部に設けられることを可能にするために、軸線方向の両端部に肉厚を貫通する小孔１１ａを一つまたは複数有して、この小孔１１ａへのタッピング螺子などの連結部材１４（図３参照）の挿通を許容している。
【００５４】
基部１１が小孔１１ａを有して連結部材１４たる、たとえば、タッピング螺子の挿通を許容するから、このタッピング螺子を利用して基部１１を蟻溝フレームＦ以外の不動部に固定状態に定着することが可能になる。
【００５５】
立ち上り部１２は、図示するところでは、上記の基部１１から延びる、つまり、基部１１がいわゆる平置きされるときに、上方に立上るように形成されて基部１１を任意の不動部に定着する際のいわゆる掴み部とされる一方で、基部１１から高さが離れた位置に受部１３を位置決めるために設けられるもので、その意味では、受部１３は、基部１１の定着操作を妨げないように設けられることが肝要となる。
【００５６】
まして、図示する実施形態のように、基部１１を定着させる不動部がビニールハウスＨを形成する蟻溝フレームＦとされる場合には、基部１１を蟻溝フレームＦにおける蟻溝の内底Ｆｂに確実に定着させるのに際して、受部１３が蟻溝フレームＦの開口Ｆａに干渉するなどして、基部１１の定着を妨げないようにすることが肝要になる。
【００５７】
そのためには、基部１１に連続する立ち上り部１２は、一定の高さを有して、基部１１から離れた高さ位置に受部１３を位置決めることになるように設定されることである。
【００５８】
受部１３は、図示するところでは、立ち上り部１２から基部１１の延長面に並行するように延びる、すなわち、折れ曲ることで蟻溝フレームＦのいわゆる脇外に位置決めされ、蟻溝フレームＦにおける開口Ｆａの上方に位置決められないようにしている。
【００５９】
つまり、受部１３が蟻溝フレームＦの脇外に位置決めされる場合には、蟻溝フレームＦにおける蟻溝の内底Ｆｂに基部１１を定着させるための係止線状Ｂの蟻溝への嵌め込み操作を受部１３が妨げる可能性が少なくなるが、受部１３が蟻溝フレームＦの開口Ｆａの上方に位置決められる場合には、上記の係止線状Ｂの嵌め込み操作を多かれ少なかれ妨げる可能性がでてくることになる。
【００６０】
とは言え、蟻溝フレームＦにおける蟻溝に係止線状Ｂを嵌め込んで基部１１の蟻溝フレームＦにおける内底Ｆｂへの定着を実現し得る限りには、受部１３が蟻溝フレームＦにおける開口Ｆａの上方に位置決めされても良いことはもちろんである。ちなみに、受部１３は、軸芯部にその肉厚を貫通する孔１３ａ（図３参照）を有し、この孔１３ａへの後述する縦軸２３の挿通を許容している。
【００６１】
可動側ブラケット２は、上記した固定側ブラケット１における受部１３が水平状態に維持されるとき、この受部１３に上方から着座して水平方向に回転自在に枢着されるベース部２１と、このベース部２１が水平状態にあるときに、このベース部２１の径方向の両端部から立ち上って対峙する一対の支持部２２を有し、この一対の支持部２２にソケット３を枢支させている。
【００６２】
ベース部２１は、受部１３に縦軸２３で枢着されて水平方向に回転自在とされ、これによって、ソケット３を介してであるが、受部１３、つまり、固定側ブラケット１に対して外からの繋ぎ棹Ｒを水平方向の全周から連結可能にする。
【００６３】
そして、ベース部２１は、軸芯部に孔２１ａ（図３参照）を有し、この孔２１ａは下方の受部１３の孔１３ａに照準され、その状態で両方の孔２１ａ，１３ａを挿通する縦軸２３で枢着されるとしている。
【００６４】
この縦軸２３は、凡そ受部１３にベース部２１を枢着させてベース部２１の水平回転を可能とする限りには、任意に形成されて良く、図示するところでは、図３に示すように、丸頭ボルト２３ａおよびロックナット２３ｂで形成されているが、これに代えて、図示しないが、リベットで形成されても良い。
【００６５】
ちなみに、縦軸２３が丸頭ボルト２３ａおよびロックナット２３ｂで形成される場合には、ロックナット２３ｂの丸頭ボルト２３ａからの取り外しで、可動側ブラケット２を固定側ブラケット１から分離することが可能になり、たとえば、固定側ブラケット１あるいは可動側ブラケット２のどちらか一方あるいは両方が錆びたり腐食したりした場合の部品交換を可能にし得る点で有利となる。
【００６６】
支持部２２は、ソケット３を枢支し、これによって、ソケット３を介してであるが、受部１３、つまり、固定側ブラケット１に対して外からの繋ぎ棹Ｒを揺動可能に連結することを可能にする。
【００６７】
そして支持部２２は、図中で上端部となる先端部にその肉厚を貫通する孔２２ａ（図３参照）を有し、この孔２２ａに挿通される横軸３３でソケット３を支持部２２に枢着させている。
【００６８】
したがって、この可動側ブラケット２にあっては、固定側ブラケット１およびソケット３と共に自在継手構造を構成することになり、その結果、ジョイントＪは、外からの繋ぎ棹Ｒを蟻溝フレームＦに任意の方向から連結することを可能にする。
【００６９】
ソケット３は、繋ぎ棹Ｒ（図２参照）の先端部の着脱自在な連結を可能にするもので、繋ぎ棹Ｒを分離可能に差し込ませる、つまり、繋ぎ棹Ｒの先端部を抜き差し自在にする筒状に形成の差し込み部３１を有すると共に、この差し込み部３１に連設されて差し込み部３１を保持する枢着部３２が上記の支持部２２に横軸３３の配在下に枢着される。
【００７０】
そして、差し込み部３１は、繋ぎ棹Ｒの径が大小するとき（図４参照）、この径が大きい繋ぎ棹Ｒの先端部の差し込みを許容する内径を有するように形成されると共に、直径方向に螺装される一対の止めネジ３４を有し、この一対の止めネジ３４は、差し込み部３１に差し込まれた繋ぎ棹Ｒの先端部を直径方向から挟持して、差し込み部３１から繋ぎ棹Ｒの先端部が抜けるのを阻止している。
【００７１】
また、ソケット３は、図４にも示すように、差し込み部３１に分離可能に保持される合成樹脂材からなるアダプタ３５を有し、このアダプタ３５を差し込み部３１に装着する場合に、このアダプタ３５への径が小さい外からの繋ぎ棹Ｒの先端部の差し込みを許容するとしている。
【００７２】
そして、このアダプタ３５は、上記の一対の止めネジ３４の先端部の挿通を許容する切欠３５ａ（図３参照）を有し、この切欠３５ａを一対の止めネジ３４の先端が通過してアダプタ３５に挿し込まれる繋ぎ棹Ｒに当接されるようにすることで、繋ぎ棹Ｒの差し込み部３１への一体的な連結を許容している。
【００７３】
なお、アダプタ３５は、合成樹脂材で形成されるのに代えて、ソケット３と同様に金属製とされても良いが、合成樹脂製とされる場合には、廉価に入手できる利点があると共に、金属当りに起因する騒音の発生を回避できる点で有利となる。
【００７４】
ちなみに、ソケット３の差し込み部３１は、図３に示すように、上記の一対の止めネジ３４をそれぞれ螺装させる一対のネジ孔３１ａを有しているが、止めネジ３４による繋ぎ棹Ｒの先端部の差し込み部３１への一体的な連結が可能とされる限りには、止めネジ３４が一本とされ、それに伴って、ネジ孔３１ａも一個とされるとしても良いことはもちろんである。
【００７５】
そして、ソケット３の枢着部３２を支持部２２に枢着する横軸３３は、図示するところでは、図３に示すように、六角頭ボルト３３ａおよびロックナット３３ｂで形成されているが、これに代えて、図示しないが、リベットで形成されても良い。なお、ソケット３の枢着部３２には、横軸３３を挿通させると共に支持部２２に孔２２ａに照準される孔３２ａを有している。
【００７６】
ちなみに、横軸３３が六角頭ボルト３３ａおよびロックナット３３ｂで形成される場合には、ロックナット３３ｂの六角頭ボルト３３ａからの取り外しで、可動側ブラケット２とソケット３との分離が可能になり、たとえば、可動側ブラケット２あるいはソケット３のいずれか一方あるいは両方が錆びたり腐食したりした場合の部品交換を可能にし得る。
【００７７】
図５は、他の実施形態のソケット３を示すが、このソケット３は、径の異なる繋ぎ棹Ｒの先端部をそれぞれ差し込ませる複数、つまり、図示するところでは、二つとなる筒状に形成の差し込み部３１，３６を直列状態に有している。
【００７８】
そして、このソケット３を可動側ブラケット２に枢支させる横軸３３を挿通させる枢着部３２が上記の言わば両側の差し込み部３１，３６の中間部に設けられるとしている。
【００７９】
そして、このソケット３にあっても、差し込み部３６が一対のネジ孔３６ａを有し、この一対のネジ孔３６ａへの一対の止めネジ３４（図３参照）の螺入で、差し込み部３６に差し込まれた繋ぎ棹Ｒの先端部を直径方向から挟持して、差し込み部３６から繋ぎ棹Ｒの先端部が抜けるのを阻止している。
【００８０】
この実施形態による場合には、前記した図３および図４に示す実施形態の場合に比較して、アダプタ３５を不要にし、アダプタ３５を着脱する作業を不要にすると共に、部品点数を削減できる点で有利となる。
【００８１】
前記したところでは、ビニールハウスＨが単棟構造に形成されるが、この考案が意図するところからすれば、複数のビニールハウスＨが長手方向を同一にすると共に側面Ｈ２の形成を省略して連結される連棟構造に形成されても良く、ジョイントＪを利用する上での障害にならない。
【００８２】
また、ビニールハウスＨの骨組を形成するのにあっては、図示しないが、蟻溝フレームＦ以外の構造部材からなる柱材や梁材が、たとえば、上記の梁フレームＦ２や柱フレームＦ３に沿うように設けられ、あるいは、適宜に梁フレームＦ２や柱フレームＦ３に代えて設けられても良いことはもちろんであり、これらの柱材や梁材がジョイントＪを設ける不動部とされても横とはもちろんである。
【００８３】
また、前記したところでは、ジョイントＪを蟻溝フレームＦに係止線状Ｂを利用して定着させるとしたが、その際に、蟻溝フレームＦには、あらかじめ係止線状Ｂを利用してビニールシートＳが連結されているのが常態であり、この状態のときにもこの考案のジョイントＪを蟻溝フレームＦに定着させることが可能になるのはもちろんである。
【符号の説明】
【００８４】
１  固定側ブラケット
２  可動側ブラケット
３  ソケット
１１  基部
１１ａ  小孔
１２  立ち上り部
１３  受部
１３ａ，２１ａ，２２ａ，  孔
１４  連結部材
２１  ベース部
２２  支持部
２３  縦軸
２３ａ  丸頭ボルト
２３ｂ，３３ｂ  ロックナット
３１，３６  差し込み部
３１ａ，３６ａ  ネジ孔
３２  枢着部
３３  横軸
３３ａ  六角頭ボルト
３４  止めネジ
３５  アダプタ
３５ａ  切欠
Ｂ  係止線状
Ｄ  引き戸
Ｆ  蟻溝フレーム
Ｆ１  アーチ状フレーム
Ｆ２  梁フレーム
Ｆ３  柱フレーム
Ｈ４  窓
Ｆａ  開口
Ｆｂ  内底
Ｈ  ビニールハウス
Ｈ１  妻面
Ｈ２  側面
Ｈ３  屋根面
Ｊ  ジョイント
Ｍ  シート開閉装置
Ｐ  巻上げパイプ（パイプ）
Ｒ  繋ぎ棹（棹部材）
Ｓ，Ｓ１  ビニールシート（シート）
【図１】
0003177539.tif 000003
【図２】
0003177539.tif 000004
【図３】
0003177539.tif 000005
【図４】
0003177539.tif 000006
【図５】
0003177539.tif 000007